(57)【要約】【課題】多数のパワーストーンに囲まれる体験ができるパワーストーン体験設備を提供する。【解決手段】多数のパワーストーンに囲まれる体験をするためのパワーストーン体験設備１’であって、体験者が内外に出入り可能な略環状の展示台３と、環状の展示台３と、環状の展示台３の内側の床２２上に配置される多数のパワーストーンとを備えている。このように構成することにより、体験者はパワーストーン体験設備１’の内側で、多数のパワーストーンに囲まれる体験ができるようになっている。【選択図】図３
0003163410.tif 000002
【実用新案登録請求の範囲】
【請求項１】
多数のパワーストーンに囲まれる体験をするためのパワーストーン体験設備であって、
体験者が内外に出入り可能な略環状の展示台と、
前記環状の展示台と、前記環状の展示台の内側の床上に配置される多数のパワーストーンとを備えていることを特徴とするパワーストーン体験設備。
【請求項２】
前記環状の展示台は、透明であることを特徴とする請求項１に記載のパワーストーン体験設備。
【請求項３】
前記環状の展示台には、内周壁が設けられていることを特徴とする請求項１または請求項２に記載のパワーストーン体験設備。
【請求項４】
前記環状の展示台には、外周壁が設けられていることを特徴とする請求項１から請求項３のいずれか１項に記載のパワーストーン体験設備。
【請求項５】
前記体験者が内外に出入り可能な筒体をさらに備え、
前記筒体の内側には、異なる高さ位置で複数の前記環状の展示台が設けられていることを特徴とする請求項１から請求項３のいずか１項に記載のパワーストーン体験設備。
【請求項６】
前記筒体には、天井が設けられており、
前記天井には、複数のサンキャッチャーが吊り下げられていることを特徴とする請求項５に記載のパワーストーン体験設備。
【請求項７】
前記環状の展示台を囲む目隠しがさらに備えられていることを特徴とする請求項１から請求項６に記載のパワーストーン体験設備。
【考案の詳細な説明】
【技術分野】
【０００１】
本考案は、パワーストーン体験設備に関する。
【背景技術】
【０００２】
日常の喧騒を離れた場所で、心身の充実、癒し、リラックス、自己啓発等をはかるため、いわゆるパワースポットといわれる景勝地等を訪れる人が増えている。しかし、仕事を持つ人、主婦、学生等には、日常の仕事、家事、学業等があり、また、旅費もかかるため、時間的にも、費用的にも、度々そのような場所へ出向くことは、決して容易なことではなかった。特に、日常多忙を極める人たちは、よりリラックスが必要であるにもかかわらず、旅行の時間を確保できないというジレンマがあった。
【０００３】
そこで、従来より、パワーストーンと呼ばれる、精神的な癒し効果があるとされる天然石が注目され、部屋に飾ったり、お守りとして携帯したりする人が多い。例えば、パワーストーンのさざれ石を封入した袋（例えば、特許文献１参照）のような癒し器具が知られている。
【先行技術文献】
【特許文献】
【０００４】
【特許文献１】実用新案登録第３１５６２２５号公報
【考案の概要】
【考案が解決しようとする課題】
【０００５】
しかしながら、特許文献１の癒し器具は、額の上に載せる程度の大きさしか有しておらず、袋に封入されているパワーストーンの数も限られている。また、パワーストーンは高価であり、置き場所も限られることから、個々の家庭でパワーストーンを多数所有することは困難であった。そのため、パワーストーンの本当の効果を体感することは難しかった。
【０００６】
そこで、本考案は、家庭では体感できないパワーストーンの効果を体験できる設備を提供することを目的とする。
【課題を解決するための手段】
【０００７】
前記目的を達成するため、本考案のパワーストーン体験設備は、多数のパワーストーンに囲まれる体験をするためのパワーストーン体験設備であって、体験者が内外に出入り可能な略環状の展示台と、前記環状の展示台と、前記環状の展示台の内側の床上に配置される多数のパワーストーンとを備えていることを特徴とする。
【０００８】
このように構成されたパワーストーン体験設備によれば、体験者は、多数のパワーストーンに囲まれる体験ができ、パワーストーンのすばらしい効果を体感することができる。また、このパワーストーン体験設備を店舗等に配置すれば、街中で、短時間で気軽に日常の喧騒を離れた景勝地等にいるかのような非日常的空間を体験でき、心身の充実、癒し、リラックス、自己啓発等を図ることができる。
【０００９】
また、本考案は、前記環状の展示台が、透明であることが望ましい。
【００１０】
このように構成されたパワーストーン体験設備によれば、展示台の裏側からパワーストーンが見えるので、パワーストーンの癒し効果を存分に体感することができる。
【００１１】
また、本考案は、前記環状の展示台に、内周壁が設けられていることが望ましい。
【００１２】
このように環状の展示台に内周壁を設けることによって、展示台に置かれたパワーストーンが、体験者側に倒れるのを防止することができる。
【００１３】
また、前記環状の展示台には、外周壁が設けられていてもよい。
【００１４】
このように環状の展示台に外周壁を設けることによって、展示台に置かれたパワーストーンが外側に倒れるのを防止することができる。
【００１５】
また、本考案は、前記体験者が内外に出入り可能な筒体をさらに備え、前記筒体の内側には、異なる高さ位置で複数の前記環状の展示台が設けられていることが望ましい。
【００１６】
このように、複数の環状の展示台を設けることによって、体験者を囲むようにパワーストーンをより多く置くことができるため、パワーストーンに包み込まれるすばらしさを体感することができる。
【００１７】
また、本考案は、前記筒体に天井が設けられ、前記天井には、複数のサンキャッチャーが吊り下げられていてもよい。
【００１８】
このように、サンキャッチャーを設けることによって、体験者の頭上にもパワーストーンを設けることができる。また、外部から入射する光をパワーストーンによって散乱させることができるので、体験者は、より非日常的で神秘的な空間を体験することができる。
【００１９】
また、本考案は、前記環状の展示台を囲む目隠しがさらに備えられていることが望ましい。
【００２０】
このように、目隠しを設けることによって、展示台内側の空間が遮蔽されるため、体験者は、周囲を気にすることなく、パワーストーンの効果を体感しながらリラックスできる。
【考案の効果】
【００２１】
本考案によれば、多数のパワーストーンに囲まれる体験をすることができる。
【図面の簡単な説明】
【００２２】
【図１】本考案の一実施形態に係るパワーストーン体験設備を示す斜視図である。
【図２】本考案の一実施形態に係るパワーストーン体験設備を示す断面図である。
【図３】変形例に係るパワーストーン体験設備を示す斜視図である。
【図４】変形例に係るパワーストーン体験設備を示す斜視図である。
【考案を実施するための形態】
【００２３】
［第１実施形態］
次に、本考案の第１実施形態について、適宜図面を参照しながら詳細に説明する。
パワーストーン体験設備１は、図１に示すように、内側に四つの透明な円環状の展示台３を備えた円筒体２から主に構成されている。
【００２４】
円筒体２は、透明なガラスや樹脂などから形成されており、体験者が内側で立ったり座ったりできる程度の内径と高さを有している。また、円筒体２には、円筒体２の一部を切り欠くことで形成された出入り口２１が設けられており、この出入り口２１を通って、体験者は円筒体２の内外に出入りすることが可能となっている。
【００２５】
四つの円環状の展示台３は、それぞれ円筒体２の内周面の異なる高さ位置に設けられている。具体的には、図２に示すように、円筒体２の上端及び下端並びに上端と下端の間の二カ所に、展示台３が設けられている。また、展示台３には、内側端部から上方向へ延びる内周壁３１が設けられている。
【００２６】
また、円筒体２の上端に設けられている展示台３には、図１に示すように、内周壁３１の内側を塞ぐように、円筒体２の天井２３が設けられている。この天井２３は、ガラスや樹脂などから形成されており、光を散乱させる型ガラスであるのが望ましい。
【００２７】
そして、パワーストーン体験設備１には、パワーストーンの一例として水晶が多数配置されている。具体的には、円筒体２の内側の床２２には、複数の水晶のさざれ石１３０がまかれている。また、四つの円環状の展示台３には、六角柱の水晶１１０や、さざれ石１３０よりも大きい水晶１２０が多数置かれている。そして、天井２３には、水晶が連なった三本のサンキャッチャー１４０が吊り下げられている。
【００２８】
このように構成されたパワーストーン体験設備１を利用する際には、体験者は出入り口２１から円筒体２の中に入り、多数の水晶に囲まれた落ち着いた非日常的空間において、仮眠、瞑想をしたり、読書、音楽等を楽しんだりして、自由に過ごすことができる。
【００２９】
以上のように構成されたパワーストーン体験設備１によれば、以下のような作用効果を得ることができる。
体験者が内外に出入り可能な円筒体２の内側に複数の展示台３が設けられ、多数の水晶が展示台３や円筒体２内の床２２に配置されているため、体験者は、この円筒体２の中に入ることで、多数の水晶に囲まれる体験ができ、パワーストーンの本当の効果を体感することができる。また、パワースポットといわれる景勝地等に出向くことができない場合でも、パワーストーン体験設備１が配置された店舗等において、街中で、短時間で気軽に日常の喧騒を離れた景勝地等にいるかのような非日常的空間を体験でき、心身の充実、癒し、リラックス、自己啓発等を図ることができる。
【００３０】
そして、円筒体２や展示台３が、透明であるので、展示台３の裏側からパワーストーンが見えるので、パワーストーンの癒し効果を存分に体感することができる。
【００３１】
また、環状の展示台３に、内周壁３１が設けられているため、展示台３に置かれた水晶が、体験者側に倒れるのを防止することができる。
【００３２】
そして、円筒体２には、天井２３が設けられており、天井２３には、複数のサンキャッチャー１４０が吊り下げられているため、体験者の頭上にもパワーストーンを設けることができる。また、外部から入射する光をパワーストーンによって散乱させることができるので、体験者は、より非日常的な空間を体験することができる。
【００３３】
前記実施形態では、展示台３が四つ設けられていたが、本考案はこれに限定されず、例えば五つ以上設けられていてもよい。このように、五つ以上の展示台３を設けることによって、より多くのパワーストーンを配置することができる。
【００３４】
また、前記実施形態では、出入り口２１が、円筒体２の一部を切り欠いて形成されていたが、本考案はこれに限定されるものではない。例えば、出入り口として扉を設けてもよい。このように、扉を設けることによって、扉にもパワーストーンを配置することができる。
【００３５】
また、前記実施形態では、円筒体２の天井２３がガラスや樹脂で形成されていたが、本考案はこれに限定されず、例えば、ネットなどを張ってもよい。
【００３６】
［第２実施形態］
次に、本発明の第２実施形態について、適宜図面を参照しながら詳細に説明する。なお、本実施形態では、前記した第１実施形態と同様の構成要素については、同一符号を付して、その説明を省略することとする。
【００３７】
パワーストーン体験設備１’は、図３に示すように、一つの円環状の展示台３と、展示台３を囲む支柱４１と目隠し４２とから構成されている。
【００３８】
円環状の展示台３は、内周壁３１と外周壁３２を有しており、床上に置かれている。そして、展示台３の内側の床２２には、複数の水晶のさざれ石１３０が敷かれ、展示台３には六角柱の水晶１１０やさざれ石１３０よりも大きい水晶１２０が置かれている。
【００３９】
支柱４１は、円環状の展示台３を囲むように六本設けられている。そして、この支柱４１の間を塞ぐようにして、目隠し４２が設けられている。目隠し４２は不透明な布などから形成されており、この目隠し４２をめくって、円環状の展示台３の内側へ入ることができるようになっている。
【００４０】
以上のように構成されたパワーストーン体験設備１’によれば、以下のような作用効果を得ることができる。
展示台３には、外周壁３２が設けられているため、展示台３に置かれた水晶が、外側に倒れるのを防止することができる。
【００４１】
そして、展示台３を囲むように目隠し４２が設けられているため、体験者は、展示台内側の空間が遮蔽されるため、体験者は、周囲を気にすることなく、パワーストーンの効果を体感しながらリラックスすることができる。
【００４２】
この第２実施形態では、目隠し４２が布を吊り下げることで構成されていたが、本考案はこれに限定されるものではない。例えば、円環状の展示台３を囲むように設けられる衝立であってもよい。
【００４３】
また、第２実施形態では、パワーストーン体験設備１’が、円環状の展示台３を囲むように設けられる支柱４１と目隠し４２を備えていたが、本考案はこれに限定されるものではない。例えば、図４に示すように、支柱や目隠し等の仕切りを設けていない、円環状の展示台３と多数のパワーストーンで構成されるパワーストーン体験設備１”であってもよい。
【００４４】
以上、本考案の実施形態について説明したが、本考案は前記実施形態に限定されるものではない。具体的な構成については、本考案の趣旨を逸脱しない範囲で適宜変更が可能である。
【００４５】
前記実施形態では、パワーストーンの一例として水晶を配置していたが、本考案はこれに限定されるものではない。例えば、アメジスト等の他のパワーストーンであってもよい。また、一種類のパワーストーンのみではなく、数種類のパワーストーンを混ぜて配置してもよい。
【００４６】
そして、前記実施形態では、六角柱の水晶１１０を配置していたが、本考案はこれに限定されず、例えば、アメジストドームであってもよい。
【００４７】
また、前記実施形態では、円筒体２や円環状の展示台３からパワーストーン体験設備１，１’が構成されていたが、本考案はこれに限定されず、例えば、多角形の筒体や多角形の環状の展示台で構成されていてもよい。
【符号の説明】
【００４８】
１      パワーストーン体験設備
２      円筒体
３      展示台
２１    出入り口
２２    床
２３    天井
４２    目隠し
１１０  水晶
１２０  水晶
１３０  さざれ石
１４０  サンキャッチャー
【図１】
0003163410.tif 000003
【図２】
0003163410.tif 000004
【図３】
0003163410.tif 000005
【図４】
0003163410.tif 000006